(57)【要約】【課題】  窓を覆うカバー部材の開閉操作が容易である育児器具の幌を提供する。【解決手段】  育児器具における子供受入空間の上方を覆う幌１０は、窓１２を有する幌本体１１と、窓１２の前面を開閉可能に覆うカバー部材２０と、カバー部材２０の開閉動作を可能にするようにカバー部材２０の一部を幌本体１１にスライド可能に接続するスライド式接続手段とを備える。スライド式接続手段は、幌本体１１に設けられた凸部１４と、カバー部材２０に設けられた凸部案内溝２５とを含む。【選択図】      図６
2006282040.tif 000002
【特許請求の範囲】
【請求項１】
育児器具における子供受入空間の上方を覆う幌であって、
窓を有する幌本体と、
前記窓の前面を開閉可能に覆うカバー部材と、
前記カバー部材の開閉動作を可能にするように、前記カバー部材の一部を前記幌本体にスライド可能に接続するスライド式接続手段とを備える、育児器具の幌。
【請求項２】
前記スライド式接続手段は、前記幌本体およびカバー部材のうちのいずれか一方に設けられた凸部と、他方に設けられた凸部案内溝とを含む、請求項１に記載の育児器具の幌。
【請求項３】
前記カバー部材は、中央において分離可能に接合された第１カバー部材と、第２カバー部材とを含み、
前記第１カバー部材の一部および前記第２カバー部材の一部が、それぞれ、前記スライド式接続手段を介して前記幌本体に接続されている、請求項１または２に記載の育児器具の幌。
【請求項４】
前記第１カバー部材および前記第２カバー部材は、それぞれ、それらのほぼ中央部分を中心として折り重ねられるように構成されている、請求項３に記載の育児器具の幌。
【発明の詳細な説明】
【技術分野】
【０００１】
この発明は、乳母車、自動車用子供座席、育児椅子、子供ベッド等の育児器具に関し、特に育児器具における子供受入空間の上方を覆う幌に関するものである。
【背景技術】
【０００２】
特開２００２−１８７５５４号公報（特許文献１）は、幌を備える乳母車を開示している。乳母車に取付けられる幌は、主として、座席に着座した子供を強い日差しから保護する機能を有している。
【０００３】
幌は、複数の幌骨と、この幌骨上に延在する幌布とを備える。このような幌を備えた乳母車は、従来から市場に多く提供されている。その中に、座席内への通風を確保するために、幌布に通風窓を備えたものもある。
【０００４】
暑くて湿気の多い日には、通風窓を開放することにより、座席内に涼感を与えることができる。一方、寒い日や風のきつい日には、通風窓を閉鎖しておく必要がある。そのため、従来の通風窓付き幌を有する場合、窓を覆う柔らかい布製等のカバー部材を設けている。
【０００５】
幌に設けられる窓には、上記のような通風を意図したものと、座席内の子供の様子を透視できるようにすることを意図したものとがある。後者の場合、一般的には、幌布に開口を設け、この開口に透明フィルムを取付けている。日差しは、透明フィルムを通過して座席内に入り込むので、この透明フィルムの窓も必要に応じて閉鎖できるようにするために、窓を覆う柔らかい布製等のカバー部材を設ける工夫がなされている。
【特許文献１】特開２００２−１８７５５４号公報
【発明の開示】
【発明が解決しようとする課題】
【０００６】
窓を覆うカバー部材の開閉操作は、できるだけ簡単であることが望ましい。
【０００７】
幌の機能として、周囲の明るさに比較して、座席内の明るさをやや暗くする明るさ調節機能もある。この明るさ調節機能に着目したとき、数段階に明るさを調節できるようにすることが望ましい。また、幌の明るさ調節機能に焦点をあてるのであれば、戸外で使う乳母車に限らず、車内に設置される自動車用子供座席や、室内で使用される育児椅子や子供ベッド等にも幌を取付けるのが望ましい。
【０００８】
この発明の目的は、窓を覆うカバー部材の開閉操作が容易である育児器具の幌を提供することである。
【０００９】
この発明の他の目的は、数段階の明るさ調節機能を有する育児器具の幌を提供することである。
【課題を解決するための手段】
【００１０】
この発明は、育児器具における子供受入空間の上方を覆う幌であって、窓を有する幌本体と、窓の前面を開閉可能に覆うカバー部材と、カバー部材の開閉動作を可能にするように、カバー部材の一部を幌本体にスライド可能に接続するスライド式接続手段とを備える。
【００１１】
上記構成の本発明によれば、カバー部材を例えば上方に持上げるようにすれば、カバー部材が幌本体上でスライド移動し、窓の前面を開放する。このようなカバー部材の開閉操作は、非常にシンプルである。
【００１２】
スライド式接続手段は、例えば、幌本体およびカバー部材のうちのいずれか一方に設けられた凸部と、他方に設けられた凸部案内溝とを含む。一つの実施形態では、幌本体に凸部が設けられ、カバー部材の裏面に凸部案内溝が設けられている。
【００１３】
一つの実施形態では、カバー部材は、中央において分離可能に接合された第１カバー部材と、第２カバー部材とを含む。この場合、第１カバー部材の一部および第２カバー部材の一部が、それぞれ、スライド式接続手段を介して前記幌本体に接続されている。このような構成であれば、状況に応じて２つのカバー部材のうち一方のみを開くようにしたり、両方のカバー部材を開くようにしたりすることができる。
【００１４】
上記の実施形態において、好ましくは、第１カバー部材および第２カバー部材は、それぞれ、それらのほぼ中央部分を中心として折り重ねられるように構成されている。このような構成であれば、窓の開度の調節をより微細に行うことができるようになるので、例えば、子供受入空間の明るさ調節を良好に行える。
【発明を実施するための最良の形態】
【００１５】
図１は、育児器具の一例としての乳母車１を示している。図示する乳母車１は、子供受入空間である座席の上方を覆う幌１０を備える。幌１０は、ドーム型の立体形状を維持するために複数の幌骨と、この幌骨上に延在するように張られた幌布とを備える。
【００１６】
図２〜図７は、幌１０を詳細に示している。図示するように、幌１０は、ドーム形状の幌本体１１と、カバー部材２０とを備える。図示した実施形態では、幌本体１１は、その前面部分に窓１２（図６、図１０参照）を有しており、カバー部材２０は、窓１２の前面を開閉可能に覆うものである。窓１２には、目の細かいメッシュ地が張られている。目の細かいメッシュ地は、良好な通気性を維持し、入射する光に対しては光強度を緩和する機能を有する。
【００１７】
図１および図２から明らかなように、カバー部材２０は、中央においてスライドファスナー２３を介して分離可能に接合された第１カバー部材２１と、第２カバー部材２２とを含む。スライドファスナー２３は、スライドレール２３ｂと、スライダー２３ａとを有する。
【００１８】
幌１０は、カバー部材２０の窓開閉動作を可能にするように、カバー部材２０の一部を幌本体１１にスライド可能に接続するスライド式接続手段を備える。図示した実施形態では、第１カバー部材２１の一部および第２カバー部材２２の一部が、それぞれ、スライド式接続手段を介して、幌本体１１に接続されている。
【００１９】
図４〜図６を参照して、スライド式接続手段の具体的構造を説明する。図４〜図６は、第２カバー部材２２と幌本体１１とのスライド接合部分を示している。図示していないが、第１カバー部材２１と幌本体１１とのスライド接合部分も、図４〜図６に示したものと実質的に同じ構造を有している。
【００２０】
スライド式接続手段は、幌本体１１に設けられた係合凸部１４と、第２カバー部材２２の裏面に設けられた凸部案内溝２５とを備える。凸部案内溝２５は、係合凸部１４を相対的にスライド可能に受入れる。なお、他の実施形態として、第２カバー部材２２に係合凸部１４を設け、幌本体１１に凸部案内溝２５を設けるようにしてもよい。
【００２１】
カバー部材２０を窓閉鎖位置で固定しておくために、第１カバー部材２１，２２の端部領域に止めボタン２４が取付けられ、幌本体１１の両端部領域に受け具１３が取付けられている。止めボタン２４と受け具１３とを係合させれば、カバー部材２０を窓閉鎖位置で固定しておくことができる。
【００２２】
止めボタン２４と受け具１３との係合を解除すると、カバー部材２０は、スライド式接続手段だけを介して幌本体１１に接続されていることになるので、幌本体１１上でスライドすることが可能になる。すなわち、図５に示す状態から、止めボタン２４による係合を解除し、カバー部材２０の中央部分の後方端を上方に持上げるように操作すると、カバー部材２０（第１カバー部材２１および第２カバー部材２２）の後方部分が上方に向かってスライドし、窓１２の一部を露出する。この状態が、図６に示される。第１および第２カバー部材２１，２２の上方へのスライド動作は、係合凸部１４が凸部案内溝２５に沿って相対的に移動することにより案内される。
【００２３】
第１カバー部材２１および第２カバー部材２２は、それぞれ、それらのほぼ中央部分に中心線となる縫い目２１ａ，２２ａを有しており、この中心線２１ａ，２２ａを中心として折り重ねられるようになっている。
【００２４】
図１および図７〜図１１を参照して、幌１０の種々の使用形態を説明する。
【００２５】
図１は、カバー部材２０によって窓１２を完全に覆っている状態を示している。例えば、日差しが強いときや、風の強いときに、この状態にされる。あるいは、座席内を暗くしたいときにこの状態にしてもよい。
【００２６】
図７は、第１カバー部材２１を上方にスライド移動させて窓１２の一部を露出させている状態である。第２カバー部材２２は、窓閉鎖位置で固定されている。例えば、日差しが一方の側面側から座席内に入射するようなときに、この状態にされる。この状態では、第２カバー部材２２によって日差しが座席内に入り込むのを防止し、第１カバー部材２１から露出した窓１２の一部によって座席内の通気性を保つ。また、窓の全閉状態に比べて、座席内を若干明るくすることができる。
【００２７】
図８は、第１カバー部材２１および第２カバー部材２２の両者を上方にスライドさせて窓１２の一部を露出させている状態である。この状態では、窓１２の左右側部の領域が露出するので、より良好な通気性を発揮できる。また、図７の状態に比べて、座席内を若干明るくすることができる。
【００２８】
図９は、第１および第２カバー部材２１，２２の止めボタン２４と、幌本体１１の受け具１３との係合状態を維持したままで、窓１２の一部を露出させている状態である。スライドファスナー２３のスライダー２３ａを下方に引き下げることにより、第１カバー部材２１と第２カバー部材２２とを左右に分離し、さらに両カバー部材２１，２２をそれらの中心線２１ａ，２２ａを中心として折り重ねるようにした状態である。この状態では、窓１２の中央領域が露出している。
【００２９】
図１０は、図９に示す状態から、止めボタン２４と受け具１３との係合を解除し、カバー部材２０の中央部先端を手で掴んで幌本体１１の後方にまで移動させた状態である。この状態では、幌本体１１上の係合凸部１４は、第１および第２カバー部材２１，２２の凸部案内溝２５の下方端に位置し、第１および第２カバー部材２１，２２は、係合凸部１４を中心として幌本体１１上を後方に向かって回転している。また、第１および第２カバー部材２１，２２は、それぞれ、それらの中心線を中心として折り重ねられている。
【００３０】
図１０に示す状態では、窓１２が全開であり、良好な通気性を発揮できる。また、座席内の明るさを、他の状態に比べて明るくすることができる。座席内の明るさを最も明るくしようとする場合には、幌１０を乳母車１から取外せばよい。
【００３１】
図１１は、図１０に示す状態から、スライダー２３ａを引き上げ、第１および第２カバー部材２１，２２を接続している状態である。
【００３２】
上記のように図示した実施形態によれば、周囲の状況や座席内の子供の状況に応じて、カバー部材２０の位置および形態を種々に変更することができる。
【００３３】
図示した実施形態は、乳母車１に取付けられた幌１０であったが、この発明は、車内に設置される自動車用子供座席や、室内で使用される育児椅子や子供ベッド等の育児器具の幌としても適用可能である。室内で使用される育児器具においては、子供の睡眠環境を整えるための明るさ調節機能を備える幌として有利に利用することができる。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３５】
この発明は、子供受入空間を有する育児器具の幌として有利に利用され得る。
【図面の簡単な説明】
【００３６】
【図１】この発明の一実施形態に係る幌を示す斜視図である。
【図２】この発明の一実施形態に係る幌の平面図である。
【図３】この発明の一実施形態に係る幌の側面図である。
【図４】スライド式接続手段の構造を示す図である。
【図５】第２カバー部材と幌本体との重なり部分を示す側面図である。
【図６】図５に示す状態から第２カバー部材を上方にスライド移動させた後の状態を示す側面図である。
【図７】第１カバー部材だけを上方にスライド移動させた状態の斜視図である。
【図８】第１および第２カバー部材を上方にスライド移動させた状態の平面図である。
【図９】第１および第２カバー部材を分離して、それらをそれぞれ折り重ねて窓の一部を露出している状態を示す平面図である。
【図１０】窓を完全に開放している状態を示す平面図である。
【図１１】窓を完全に開放し、幌本体の後方上に位置しているカバー部材のスライドファスナーを閉じている状態を示す平面図である。
【符号の説明】
【００３７】
１  乳母車、１０  幌、１１  幌本体、１２  窓、１３  受け具、１４  係合凸部、２０  カバー部材、２１  第１カバー部材、２１ａ  中心線、２２  第２カバー部材、２２ａ  中心線、２３  スライドファスナー、２３ａ  スライダー、２３ｂ  スライドレール、２４  止めボタン、２５  凸部案内溝。
【図１】
2006282040.tif 000003
【図２】
2006282040.tif 000004
【図３】
2006282040.tif 000005
【図４】
2006282040.tif 000006
【図５】
2006282040.tif 000007
【図６】
2006282040.tif 000008
【図７】
2006282040.tif 000009
【図８】
2006282040.tif 000010
【図９】
2006282040.tif 000011
【図１０】
2006282040.tif 000012
【図１１】
2006282040.tif 000013